(57)【要約】      （修正有）【課題】病院にいると言う緊張から気分が乗らず、なかなか迅速に精液を採取出来ない問題を、心理学的なアプローチによって解決して、効率的に採取出来るようにする採精具を提供する。【解決手段】採精具１は、柔軟な医療用のゴムを用いて成型された筒状体１０の長手方向の一端部に挿入口１１が開口されておりそこから筒状体１０の内部の長手方向に向けて挿入道１２が設けられたものである。またこの筒状体１０の外周壁に女性用衣類としての水着ショーツ１３と水着ブラ１４とが筒状体１０と一体に成型されている。【選択図】図１
0003210931.tif 000002
【実用新案登録請求の範囲】
【請求項１】
陰茎の挿入道が形成された柔軟な素材から成る容器の外側に、女性用衣類を取り付けて成る採精具。
【請求項２】
陰茎の挿入道が形成された柔軟な素材から成る容器を、女性の身体模型として成る採精具。
【請求項３】
前記女性の身体模型がトルソーである、請求項２に記載の採精具。
【請求項４】
更に前記容器の外側に、女性用衣類を取り付けて成る、請求項２または請求項３に記載の採精具。
【請求項５】
前記女性用衣類が着脱自在に取り付けられている、請求項１または請求項４に記載の採精具。
【考案の詳細な説明】
【技術分野】
【０００１】  この考案は、心理学的なアプローチによって効率的に男性精子を採取することを可能にする採精具に関するものである。
【背景技術】
【０００２】  病院などでの採精に当たっては、陰茎の挿入道が形成されたゲル状樹脂製の容器を用いて陰茎を刺激する方法が採られることがある。しかしながらこのような採精器を用いても病院にいると言う緊張もあってか、なかなか迅速に精液を採取できないのが通常である。それと言うのも単純に気分が乗らないからである。そこで病院ではグラビア等雑誌を貸し出したりしている。なお家であればビデオを準備して用いることもある。【０００３】  特許第５２６１３８２号の精子採取装置は、陰茎の挿入空所が形成された柔軟な素材から成るコア部材と、このコア部材を保持する開閉自在なホルダと、から成ることを特徴とし、ゲル状樹脂製のコア部材に付与する刺激を手によって任意にコントロールすることが出来、これによって使用感を高めることが可能になると言うものである。ホルダには縦に大きな開口部が設けられており、ここから手でコア部材に触れることが出来るようになっている（図１）。
【先行技術文献】
【特許文献】
【０００４】
【特許文献１】特許第５２６１３８２号公報
【考案の概要】
【考案が解決しようとする課題】
【０００５】  しかしながら特許第５２６１３８２号のものを用いても、気分が乗らないような状況では如何ともし難い。これ以外に採取の迅速化は出来ないものであろうか。そこでこの考案の目的は、上述のような問題点を解決した新しい採精具を提供することにある。
【課題を解決するための手段】
【０００６】  この考案では上記課題の解決に当って、心理学的なアプローチをするのが良いのではないかと言うことになった。すなわち上記課題は、陰茎の挿入道が形成された柔軟な素材から成る容器の外側に、女性用衣類を取り付けて成る採精具を提供することにより解決される。従来であれば気分を乗らせるために雑誌などを必要とした分けであるが、この考案によれば採精具の容器の外側に女性用衣類が取り付けられていることから、それを見たりそれに触れたりすることによって大いに気分が高められ採取の迅速化に繋がる。これがこの考案で言う心理学的なアプローチであり、この考案は誠に理に適ったものであり、病院の経営にも資するものであると言うことが出来る。なおゲル状樹脂製の容器の形状は任意であり、単なる円筒形状であっても良い。何れにせよこのような採精具は従来にはないものであった。【０００７】  また上記課題は、陰茎の挿入道が形成された柔軟な素材から成る容器を女性の身体模型として成る採精具を提供することによって解決される。上記では例えば円筒形状の容器に女性用衣類を取り付けることによって、気分がぐんと高まるようにしているが、ここでは女性用衣類を取り付けるのではなく、容器の形状そのものを女性の身体模型とすることにより、使用者の気分を高めるのである。この考案によれば女性の身体模型である所の採精具を見たりそれに触れたりすることによって大いに気分が高まり、採取までに掛かる時間が短縮される。これがこの考案で言う心理学的なアプローチであり、この考案は誠に理に適っていると言える。【０００８】  なおゲル状樹脂製の容器の形状は女性の身体模型である限りは、写実的であろうがデフォルメされていようが特に限定はない。一般的には身体模型には頭部や四肢が必要と考えられるが、トルソーであってもそれを見たりそれに触れたりすることによって大いに気分が高められ採取が迅速化されるのであるから、この効果は大変に大きいものである。【０００９】  さて女性の身体模型が写実的なものであってもデフォルメされたものであっても、或いはトルソーの如き形状のものであっても、これに女性用衣類を取り付けたものとすることが出来る。女性の身体模型によっても更に女性用衣類によっても、それを見せたりそれに触らせたりすることは正しく心理学的なアプローチである。【００１０】  またこの考案に於ける女性用衣類は、それが容器に対して着脱自在に取り付けられているものとすることが出来る。着脱自在とは着せたり脱がせたりが自由に行えると言うことであり、また着せ替え自在と言うことでもある。使用者の好みの女性用衣類を容器に着せると言った提供方法が可能になる。【００１１】  なおこの考案で言うゲル状樹脂製の容器とは、医療用のゴムであったりシリコーンであったりを素材として成型した容器のことである。また容器の周りに更にこの容器より幾分堅目のシェルを被せるように構成しても良い。容器とシェルとで形状が異なっていても、或いは同じでも、この考案の心理学的なアプローチに沿ったものであれば自由に設計して良い。女性用衣類の素材は容器と同じであっても異なっていても良い。異なっている場合の好適な例として布地を上げる。また素材が異なっている場合で、布地のようにくたくたするものではなく、一定の形状を保つことが出来るようなものとすると、容器（シェルがある場合にはシェル）に対する着脱をより容易なものと成し得る。
【考案の効果】
【００１２】  この考案の採精具によれば、容器の外側に女性を強くイメージさせる構成を採用しているので、容器を見たり容器に触れたりすることによって大いに気分が高められて精子採取がスピードアップすると言う効果を奏する。この考案のように心理学的アプローチを採用している点も新しい。
【図面の簡単な説明】
【００１３】
【図１】  実施例１の説明図である。
【図２】  実施例２を断面視して表す説明図である。
【図３】  実施例３の説明図である。
【図４】  実施例４の説明図である。
【考案を実施するための形態】
【００１４】  以下ではこの考案の４種類の採精具を図面に基づいて説明するが、この考案はこれ等に限定されるものではなく、この考案の思想の範囲内で工夫される種々の変形例もまたこの考案の権利範囲に含まれるものである。
【実施例１】
【００１５】  この実施例の採精具１は、図１で表すように、柔軟な医療用のゴムを用いて成型された筒状体１０の長手方向の一端部に挿入口１１が開口されておりそこから筒状体１０の内部の長手方向に向けて挿入道１２が設けられたものである。またこの筒状体１０の外周壁に女性用衣類としての水着ショーツ１３と水着ブラ１４とが筒状体１０と一体に成型されている。筒状体１０が着衣しているように見える。【００１６】  筒状体１０は柔軟であるため、陰茎を挿入口１１から挿入道１２内へ安心して挿入することができる。潤滑クリームを挿入道１２内に塗っても良い。【００１７】  この実施例によれば、筒状体１０を女性の身体に見立てることが出来るため、この結果大いに気分が高められ精子の採取が迅速に行えるのである。このような採精具は従来にはなく全く新しいものである。
【実施例２】
【００１８】  この実施例の採精具２は、図２で表すように、柔軟な医療用のゴムを用いて成型された筒状体２０の長手方向の一端に挿入口２１が開口されており、そこから筒状体２０の内部の長手方向に向けて挿入道２２が設けられたものである。またこの筒状体２０の外側にはこの筒状体２０よりも堅いウレタン樹脂からなるシェル２３が被せられている。【００１９】  このシェル２３に対して、女性用衣類を着脱自在に設けるのである。なおここでは女性用衣類の図示を省略する。シェル２３は筒状体２０よりも堅く作られているため手で握りやすいものとなっている。なお女性用衣類を筒状体２に取り付けた状態では、女性用衣類は筒状体２０を手で握った時の滑り止めにもなる。
【実施例３】
【００２０】  この実施例の採精具３は、図３で表すように、柔軟なシリコーン樹脂を用いて成型された女性の身体模型としてのトルソー３０である。このトルソー３０の長手方向の一端部に挿入口３１が開口されておりそこからトルソー３０の内部の長手方向に向けて挿入道３２が設けられている。【００２１】  このトルソー３０と組み合わせるようにして、女性用衣類としての水着ショーツ３３と水着ブラ３４とを着用させている。この水着ショーツ３３と水着ブラ３４とは布地に成るものであり、トルソー３０に対しては着脱自在である。【００２２】  トルソー３０は柔軟であるため陰茎を挿入道３２内へ安心して挿入することができる。潤滑クリームを挿入道３２内に塗っても良い。トルソー３０の形状からして握る手は滑りにくくあるが、さらに女性用衣類をトルソー３０に取り付けた状態では、この女性用衣類はトルソー３０を手で握った時の滑り止めともなる。女性用衣類によって滑り止めの効果がさらに高まる。【００２３】  この実施例では容器の形状そのものを女性の身体模型としてのトルソー３０とすることによって、使用者の気分を高めるのである。女性用衣類にも同様の作用がある。すなわち女性の身体模型である所の採精具３を見たりそれに触れたりすることによって、と同時に女性用衣類としての水着ショーツ３３と水着ブラ３４とを見たりそれに触れたりすることによって、大いに気分が高まり、採取までに掛かる時間が短縮される。このような採精具は従来にはなく全く新しいものである。【００２４】  なおトルソー３０の外周壁に女性用衣類を、トルソー３０と一体に成型した商品を提供することが出来る。女性用衣類はトルソー３０と同じ柔軟なシリコーン樹脂製であって、上述の実施例３で言えば水着ショーツ３３に相当するトルソー３０の長手方向の一端部に挿入口３１が開口されておりそこからトルソー３０の内部の長手方向に向けて挿入道３２が設けられている。
【実施例４】
【００２５】  この実施例の採精具４は、図４で表すように、柔軟なシリコーン樹脂を用いて成型された女性の身体模型としてのトルソー４０である。このトルソー４０の長手方向の一端部に挿入口４１が開口されておりそこからトルソー４０の内部の長手方向に向けて挿入道４２が設けられたものである。【００２６】  またこのトルソー４０と組み合わせるようにして、女性用衣類５としての発泡ウレタン樹脂製のショーツ５０を用意した。この女性用衣類５は、くたくたしたものではなくて、形状をある程度しっかりと保つことが出来るものである。従ってトルソー４０はショーツ５０に填め込まれるようにして取り扱われるため、くたくたしたものに比して着脱が比較的に容易である。またショーツ５０は採精具４の挿入道４２を保護するためのキャップであると見ることが出来る。このように女性用衣類を採精具のキャップとする設計が可能である。このことはこの実施例の女性用衣類５がその形状を保つものであることと共に特筆すべきことである。【００２７】  なお、図示はしないが実施例３のトルソー３０や実施例４のトルソー４０に、人形頭部を設けた商品も提供可能である。或いはトルソー３０やトルソー４０に四肢を設けた商品も提供可能である。これ等もまたこの考案の権利範囲である。【００２８】  さてこの考案の容器や挿入道などの形状は任意に設計して良い。挿入道の壁面に波構造を持たせたり、細かい突起を設けるなどの工夫も可能である。また各部の素材に付いても任意選択が可能である。また挿入道は、上記何れの実施例に於いても容器内で先が閉じていた。すなわち容器が精子受けの容器として機能するものであった。しかしながら容器の長手方向の一端部から他端部へ貫通するような構成もまた採用可能である。この場合には精子の採取のためにコンドームのような医療用具を使用することになる。このように容器の長手方向の一端部から他端部へ貫通する挿入道を有する採精具もまた、この考案の権利範囲である。【００２９】  またこの考案では女性用衣類として、所謂着せ替え人形のドレスを使用することが出来る。従って採精を行う病院では各種のドレスを着用した採精具を複数種類用意しておき、使用者にこれ等の中から自由に選択させるような実施が可能である。
【産業上の利用可能性】
【００３０】  請求項１の採精具は女性用衣類に係り、請求項２の考案は女性の身体模型に係る。ところが性的指向が一般とは異なる性的少数者である所の特定の使用者または患者向けに対応して欲しい旨の社会的要請もあることから、この考案の採精具を「男性用衣類」や「男性の身体模型」に係るものとして設計変更したものも提供したい。すなわち明細書の該当する箇所をそのように読み替えるのである。このような採精具もこの考案の権利範囲であるとする。
【符号の説明】
【００３１】１    採精具              １０  筒状体              １１  挿入口
１２  挿入道              １３  水着ショーツ        １４  水着ブラ
２    採精具              ２０  筒状体              ２１  挿入口
２２  挿入道              ２３  シェル              ３    採精具
３０  トルソー            ３１  挿入口              ３２  挿入道
３３  水着ショーツ        ３４  水着ブラ            ４    採精具
４０  トルソー            ４１  挿入口              ４２  挿入道
５    女性用衣類          ５０  水着ショーツ
【図１】
0003210931.tif 000003
【図２】
0003210931.tif 000004
【図３】
0003210931.tif 000005
【図４】
0003210931.tif 000006